(57)【要約】【課題】  音響機器の空きスペースを利用してオーディオパネル前方付近の最適な位置にカーインテリア用品は配置することができるカーインテリア用品固定具を提供する。【解決手段】本発明のカーインテリア用品固定具１は、自動車の音響機器の空きスペース５０内に差し込まれて固定可能な差し込み固定部２と、差し込み固定部２の一端３側に設けられカーインテリア用品７０を保持するためのホルダー部４とを有し、差し込み固定部２は、ベース部５とベース部５に昇降可能に設けられた高さ調整ネジ６，７を備え、高さ調整ネジ６，７の回動部８，９を回動させることで回動部８，９とベース部５にて音響機器の空きスペース５０の上下内面５１，５２に固定されるものである。音響機器の空きスペースを利用して固定するため、オーディオパネル前方付近の最適な位置にカーインテリア用品は配置することができる。【選択図】図２
2012006465.tif 000002
【特許請求の範囲】
【請求項１】
自動車の音響機器の空きスペース内に差し込まれて固定可能な差し込み固定部と、該差し込み固定部の一端側に設けられカーインテリア用品を保持するためのホルダー部とを有し、前記差し込み固定部は、ベース部と該ベース部に昇降可能に設けられた高さ調整ネジとを備え、該高さ調整ネジの回動部を回動させることで当該回動部と前記ベース部にて前記音響機器の空きスペースの上下内面に固定されることを特徴とするカーインテリア用品固定具。
【請求項２】
前記高さ調整ネジは、前記ベース部に差し込み方向に沿って２つ設けられている請求項１に記載のカーインテリア用品固定具。
【請求項３】
前記ベース部は、差し込み方向に沿って長い箱状体である請求項１または２に記載のカーインテリア用品固定具。
【発明の詳細な説明】
【技術分野】
【０００１】
本発明は、カーナビゲーションのモニター等カーインテリア用品を自動車内で固定させることができるカーインテリア用品固定具に関する。
【背景技術】
【０００２】
従来より、カーナビゲーションのモニターや小型テレビなどの車載機器、多機能情報端末（例えば米国Ａｐｐｌｅ社のｉｐａｄ）、携帯電話機または飲料容器の配置具等、自動車内に配されるカーインテリア用品を固定する方法または固定具が種々提案されている。
【０００３】
カーナビゲーションのモニター等の配置場所としては、オーディオパネル付近、助手席前、ダッシュボードの上などがあるが、オーディオパネル付近以外の場所では視認性や操作性において難点があり交通安全上も問題がある。
【０００４】
ところで、オーディオパネル付近には、音響機器の空きスペースが存在することがあり、小物入れなどに使用されている。
【先行技術文献】
【特許文献】
【０００５】
【特許文献１】引用無し
【発明の概要】
【発明が解決しようとする課題】
【０００６】
本願発明者らは、上記音響機器の空きスペースに着目して本発明を想起したものであり、すなわち、本発明の課題は、音響機器の空きスペースを利用してオーディオパネル前方付近の最適な位置にカーインテリア用品は配置することができるカーインテリア用品固定具を提供することにある。
【課題を解決するための手段】
【０００７】
上記課題を解決するものは、自動車の音響機器の空きスペース内に差し込まれて固定可能な差し込み固定部と、該差し込み固定部の一端側に設けられカーインテリア用品を保持するためのホルダー部とを有し、前記差し込み固定部は、ベース部と該ベース部に昇降可能に設けられた高さ調整ネジとを備え、該高さ調整ネジの回動部を回動させることで当該回動部と前記ベース部にて前記音響機器の空きスペースの上下内面に固定されることを特徴とするカーインテリア用品固定具である。
【０００８】
前記高さ調整ネジは、前記ベース部に差し込み方向に沿って２つ設けられていることが好ましい。前記ベース部は差し込み方向に沿って長い箱状体であることが好ましい。
【発明の効果】
【０００９】
請求項１に記載した発明によれば、音響機器の空きスペースを利用してオーディオパネル前方付近の最適な位置にカーインテリア用品は配置することができる。
請求項２に記載した発明によれば、差し込み方向（音響機器の空きスペースの奥行き方向）に沿って設けられた２つの高さ調整ネジによって、より確実に差し込み固定部を音響機器の空きスペース内に固定できる。
請求項３に記載した発明によれば、ベース部が差し込み方向に沿って長く形成されることによって音響機器の空きスペースの奥側でベース部を固定でき、より確実に差し込み固定部を音響機器の空きスペース内に固定できると共に、音響機器の空きスペースにおけるベース部の占有率が低くなって指が挿入しやすく固定作業がより容易となる。
【図面の簡単な説明】
【００１０】
【図１】本発明のカーインテリア用品固定具の一実施例の正面側斜視図である。
【図２】図１に示したカーインテリア用品固定具の使用方法を説明するための斜視概略図である。
【図３】図１に示したカーインテリア用品固定具の使用（固定）状態を説明するための右側面図である。
【発明を実施するための形態】
【００１１】
本発明では、高さ調整ネジ６，７の回動部８，９を回動させることで回動部８，９とベース部５にて音響機器の空きスペース５０の上下内面５１，５２に容易かつ強固に固定可能で、オーディオパネル前方付近の最適な位置にカーインテリア用品は配置することができるカーインテリア用品固定具１を実現した。
【実施例１】
【００１２】
本発明のカーインテリア用品固定具を図１ないし図３に示した一実施例を用いて説明する。
この実施例のカーインテリア用品固定具１は、自動車の音響機器の空きスペース５０内に差し込まれて固定可能な差し込み固定部２と、差し込み固定部２の一端３側に設けられカーインテリア用品７０を保持するためのホルダー部４とを有し、差し込み固定部２は、ベース部５とベース部５に昇降可能に設けられた高さ調整ネジ６，７を備え、高さ調整ネジ６，７の回動部８，９を回動させることで回動部８，９とベース部５にて音響機器の空きスペース５０の上下内面５１，５２に固定されることを特徴とするカーインテリア用品固定具である。以下、各構成について順次詳述する。
【００１３】
差し込み固定部２は、図２または図３に示すように、自動車の音響機器の空きスペース５０内に差し込まれて、カーインテリア用品固定具１を自動車に固定するための部位である。
【００１４】
差し込み固定部２は、ベース部５と、ベース部５に昇降可能に設けられた高さ調整ネジ６，７とを備えている。ベース部５は、差し込み固定部２の基台を構成する部位であり、高さ調整ネジ６，７は、差し込み固定部２の全体として高さを調整するための部材である。
【００１５】
具体的には、この実施例のベース部５は、図２に示すように、差し込み方向ｈに沿って長い箱状体に構成されている。このように、ベース部５が差し込み方向ｈに沿って長く形成されることにより音響機器の空きスペース５０の奥側でベース部５を固定でき、より確実に差し込み固定部２を音響機器の空きスペース５０内に固定できる。また、音響機器の空きスペース５０におけるベース部５の占有率が低くなって指が挿入しやすく固定作業がより容易となる。
【００１６】
高さ調整ネジ６，７は、把持して回動させることにより高さ調整ネジ６，７をベース部５に対して相対的に昇降させる回動部８，９と、図３に示すように、回動部８，９の中央下部に固定されたネジ棒部１０，１１とから構成されている。そして、高さ調整ネジ６，７は、ベース部５の上面部１２に設けられたネジ穴１３，１４にネジ棒部１３，１４が取り付けられることにより、ベース部５に対して昇降可能に構成されている。具体的には、高さ調整ネジ６，７は、回動部８，９を時計回りに回転させると回動部８，９がベース部５に対して相対的に下降し、回動部８，９を半時計回りに回転させると、回動部８，９がベース部５に対して相対的に上昇するように構成されている。
【００１７】
前記高さ調整ネジ６，７の作用により、差し込み固定部２は全体としての高さを変化させることができる。そして、図３に示すように、回動部８，９を半時計回りに回転させて高さ調整ネジ６，７を上昇させることにより、回動部８，９の上面と音響機器の空きスペース５０の上面とを圧接させて、カーインテリア用品固定具１を音響機器の空きスペース５０内に固定することができる。他方、カーインテリア用品固定具１の音響機器の空きスペース５０内における固定を解除する場合は、回動部８，９を時計回りに回転させて高さ調整ネジ６，７を下降させることにより、容易に固定解除することができる。
【００１８】
なお、高さ調整ネジは、この実施例のように、ベース部５の差し込み方向ｈに沿って２つ設けられていることが好ましい。このように、２つの高さ調整ネジ６，７によって音響機器の空きスペース５０の奥行き方向に沿って２箇所で圧接されることで、より確実に差し込み固定部２を音響機器の空きスペース５０内に固定することができる。
【００１９】
ホルダー部４は、前述した差し込み固定部２を自動車の音響機器の空きスペース５０内に固定すると、図３に示すように、オーディオパネル６０の前方に配される部位であり、カーインテリア用品固定具１は、このホルダー部４とカーインテリア用品７０の一部が係合することによりカーインテリア用品７０を保持する。
【００２０】
この実施例において、ホルダー部４とカーインテリア用品７０とを係合させる部位がコネクター１５であり、コネクター１５は、図１に示すように、板状ベース部１５ａと、板状ベース部１５ａの中央付近に形成された側面視Ｌ字型の係合部１５ｂとが樹脂材料にて一体成形されて構成されており、カーインテリア用品７０（図２または図３ではナビゲーションシステムのモニター）を板状ベース部１５ａの表面に沿って降下させると、カーインテリア用品７０の裏面側に設けられた係合部（図示しない）と係合部１５ｂが係合し、カーインテリア用品７０が略垂直方向に保持されるよう構成されている。
【００２１】
上記コネクター１５は、背面側において連結部１６を介してボール１７と連結しており、このボール１７はボール把持部１８に回動可能に把持されている。このボールジョイント構造により、コネクター１５に取り付けられたカーインテリア用品７０はその向きを左右上下に自在に調整できるよう構成されている。
【００２２】
また、ボール把持部１８の後部は、初期状態で垂直方向に延在する支柱体１９の上部と第１ヒンジ構成部材２０を介して上下方向に回動可能に連結されている。具体的には、第１ヒンジ構成部材２０は、ボール把持部１８の後部と支柱体１９の上部を連結する連結ピン２０ａと、連結ピン２０ａの一端に設けられた締結用部材２０ｂからなり、締結用部材２０ｂの回動により、ボール把持部１８の後部と支柱体１９の上部との固定または固定解除が可能に構成されている。そして、このような第１のヒンジ構造によってカーインテリア用品７０の向きを上向きまたは下向きに適宜調整することができるように構成されている。
【００２３】
さらに、支柱体１９の下部は、差し込み固定部２の一端３にネジ部材２１によって固定され水平方向に延出した延出部２２の先端部と第２ヒンジ構成部材２３を介して上下方向に回動可能に連結されている。具体的には、第２ヒンジ構成部材２３は、支柱体１９の下部と延出部２２の先端部を連結する連結ピン（図示しない）と、連結ピンの両端にそれぞれ設けられた締結用部材２３ａ，２３ｂからなり、締結用部材２３ａ，２３ｂの回動により、支柱体１９の下部と延出部２２の先端部との固定または固定解除が可能に構成されている。そして、このような第２のヒンジ構造によってカーインテリア用品７０の位置を前方または後方に移動させることができるよう構成されている。
【００２４】
以上のように、カーインテリア用品固定具１は、差し込み固定部２とホルダー部４とからなり、差し込み固定部２を自動車の音響機器の空きスペース５０内に固定すると、オーディオパネル６０の前方に配されるホルダー部４によりカーインテリア用品７０を保持させることができ、カーインテリア用品の配置場所として最適なオーディオパネル前方付近にカーインテリア用品を極めて容易に配置することができるものである。
【００２５】
なお、本発明のカーインテリア用品固定具１の特徴は、自動車の音響機器の空きスペース５０内に固定される差し込み固定部２およびその構造にあり、本発明のホルダー部４の形態はこの実施例の形態に限定されるものではなく、カーインテリア用品を保持可能な形態であればどのような形態のものも本発明の範疇に包含される。また、この実施例では、カーインテリア用品はナビゲーションシステムのモニターであるが、これに限定されるものではなく、小型テレビなど他の車載機器、多機能情報端末（例えば米アップル社のｉｐａｄ）、携帯電話機または飲料容器の配置具等、自動車内で使用されるカーインテリア用品であればどのようなものでもよい。さらに、コネクターの形態はこの実施例に限定されるものではなく、カーインテリア用品の係合部と係合するものであればどのようなものでもよい。さらに、この実施例の差し込み固定部２は、回動部８，９がベース部５の上方に存在するが、ベース部の下方に回動部が存在するものも本発明の範疇に包含される。さらに、この実施例の高さ調整ネジ６，７は２つ設けられており、これが最も好ましいが、高さ調整ネジが１つのもの、或いは３以上のものも本発明の範疇に包含される。
【符号の説明】
【００２６】
１              カーインテリア用品固定具
２              差し込み固定部
３              差し込み固定部の一端
４              ホルダー部
５              ベース部
６，７          高さ調整ネジ
８，９          回動部
１０，１１      ネジ棒部
１２            ベース部の上面部
１３，１４      ネジ穴
１５            コネクター
１６            連結部
１７            ボール
１８            ボール把持部
１９            支柱体
２０            第１ヒンジ構成部材
２０ａ          連結ピン
２０ｂ          締結用部材
２１            ネジ部材
２２            延出部
２３            第２ヒンジ構成部材
２３ａ，２３ｂ  締結用部材
【図１】
2012006465.tif 000003
【図２】
2012006465.tif 000004
【図３】
2012006465.tif 000005